(57)【要約】      （修正有）【課題】家や個人の物を収納することができるとともに、使用しない時に扁平状に折り畳むことができ、また、その構造がシンプルであり、様々な収納機能をもたせることができる収納袋を提供する。【解決手段】袋体１と、ベルト２とによって構成する。袋体の対向する二つの第一壁面１０１には垂直な折り線１４がそれぞれ設けられ、対向する二つの第二壁面１０２の内の一つには穿孔１１が設けられる。ベルトの一端は袋体の穿孔に貫設され、袋体の内部空間に配置されたベルトの一端は袋体の第二壁面に固定される。【選択図】図１
0003161290.tif 000002
【実用新案登録請求の範囲】
【請求項１】
袋体と、ベルトとによって構成する複合機能を具えた収納袋において、
袋体に設けられた四つの直立壁面の内、対向する二つの第一壁面には垂直な折り線がそれぞれ設けられ、対向する二つの第二壁面の内の一つには穿孔が設けられ、第二壁面の内側には連結部材が設けられ、連結部材には第一リングが設けられ、第一リングは、第一リングと分離可能であり且つベルトの一端に設けられた留め具と相互に係合され、ベルトは袋体の穿孔に貫設され、袋体の外側に配置されたベルトには第二リングが設けられることを特徴とする、複合機能を具えた収納袋。
【請求項２】
前記袋体の少なくとも対向する二つの壁面には、相互に吸着する磁性部材が設けられることを特徴とする、請求項１に記載の複合機能を具えた収納袋。
【請求項３】
前記対向する二つの第二壁面にはそれぞれ円孔が設けられるとともに、前記ベルトの代わりにロープが用いられ、ロープの一端は、二つの円孔に順番に貫通された後、さらに係止部材に貫通され、その後、ロープが往復するように、順番に二つの円孔に貫通され、前記袋体の外に取り出された二つのロープには紐締め部材が設けられることを特徴とする、請求項１に記載の複合機能を具えた収納袋。
【考案の詳細な説明】
【技術分野】
【０００１】
本考案は、様々な収納機能をもつ収納袋に関する。
【背景技術】
【０００２】
従来から折りたためる収納箱は存在するものの、その設計構造により、折り畳んでも扁平状にすることができず、折り畳んだ後の外観が美しくないだけではなく、しまっておく際に不便である。
【考案の概要】
【考案が解決しようとする課題】
【０００３】
そこで、本考案は、家や個人の物を収納することができるとともに、使用しない時に扁平状に折り畳むことができ、また、その構造がシンプルであり、様々な収納機能をもたせることができ、製品の付加価値を向上させる収納袋を提供することを目的とする。
【課題を解決するための手段】
【０００４】
本考案による複合機能を具えた収納袋は、袋体と、ベルトとによって構成する。袋体の対向する二つの第一壁面には垂直な折り線がそれぞれ設けられ、対向する二つの第二壁面の内の一つには穿孔が設けられる。ベルトの一端は袋体の穿孔に貫設され、袋体の内部空間に配置されたベルトの一端は袋体の第二壁面に固定される。使用者は、ベルトを引っぱることで、收納袋を折り畳んで扁平状にすることができ、しまっておく際や、携帯する際に便利である。また、ベルトの留め具を第一リングに係合することで收納袋を携帯に便利なリュックとして使用することができる。さらに、ベルトによって袋体の両側を区切ることも、ベルトを袋体の外に取り出して、袋体の内部空間を拡大することもでき、袋体に様々な収納機能をもたせることができる。
【図面の簡単な説明】
【０００５】
【図１】本考案の收納袋の実施例１の構造を示した斜視図である。
【図２】本考案のベルトを引っぱった状態を示した説明図である。
【図３】本考案のベルトを引っぱった後、袋体を折りたたむ動作を示した説明図である。
【図４】本考案の袋体が折りたたまれ扁平状になった状態を示した説明図である。
【図５】本考案の袋体が折りたたまれた後、リュックとして使用された状態を示した説明図である。
【図６】本考案のベルトを袋体内から袋体外に取り出し、その留め具を第二リングに係合した状態を示した説明図である。
【図７】本考案の二つの收納袋を並列させ、磁性部材によって相互に吸着させて固定した状態を示した説明図である。
【図８】本考案の並列させた二つの收納袋のベルトを袋体の外に取り出し、袋体の内部空間を拡大させた状態を示した説明図である。
【図９】本考案の收納袋の実施例２の構造を示した斜視図である。
【考案を実施するための形態】
【０００６】
（実施例１）
図１に示すように、本考案による複合機能を具えた収納袋は、袋体１と、ベルト２とによって構成する。袋体１は、軟質の布材からなるとともに収納空間を有する矩形体であり、袋体１は四つの直立壁面を有する。その直立壁面は硬質板を布材で被覆してなり、それにより壁面は直立するのに充分な強度をもつ。その内、対向する二つの第一壁面１０１は、布材で二枚の硬質板を被覆してなり、二枚の硬質板の間には隙間が設けられ垂直な折り線１４を形成する。また、対向する二つの第二壁面１０２は、布材で一枚の硬質板を被覆してなる。第二壁面１０２における袋体１の開口部に近接した位置には、穿孔１１と、第二壁面１０２内側に配置された連結部材１２とが設けられ、連結部材１２には第一リング１３が設けられる。連結部材１２は、布材を第二壁面１０２に直接縫い合わせてなる。また、二つの第一壁面１０１の適切な箇所の布材内部には、磁性部材１５が設けられる。対向する二つの第一壁面１０１内に設けられた磁性部材１５は異なる磁性をもち、二つの収納袋を並列させた時に、二つの磁性部材１５により吸い付けられ固定される。
【０００７】
ベルト２は軟質の帯体であり、ベルト２の一端は穿孔１１に貫設された後、袋体１の内部空間に進入し、さらにベルト２の自由端には留め具２１が設けられる。また、ベルト２における袋体１の外の適切な位置には第二リング２２が設けられる。留め具２１を第一リング１３に係合することで、ベルト２の一端は第二壁面１０２に固定される。また、留め具２１と第一リング１３の連結を解除することもできる。
【０００８】
図２から図４は、本考案の收納袋をリュックに変化させる際の操作手順である。図２に示すように、使用者の手で、ベルト１１を袋体１の外側方向に引っぱり、その後、袋体１上方の開口部を折り線１４に沿って折りたたみ（図３に図示）、袋体１の開口部を扁平状にするとともに、袋体１下方は開いた状態のままにすると、リュックが形成される（図４に図示）。以上により、使用者は、図５に示すように、收納袋を肩にかけて背負うことができる。
【０００９】
再び、図１を参照する。ベルト２の留め具２１を第一リング１３に係合すると、袋体１の内部空間に配置されたベルト２によって、その内部空間を二つの領域に隔てることができ、使用者が袋体１内で物品を分類して収納するのに便利である。また、二つ以上の袋体を並列させたい時（図７に図示）は、磁性部材１５を相互に吸着させることにより二つの袋体１は固定される。そして、袋体の内分空間により大きな空間が必要な時は、留め具２１を第一リング１３から取り外し、その後、図６に示すように、ベルトを袋体１の上縁から袋体外に取り出すとともに、留め具２１を第二リング２２に係合させ、さらに、二つ以上の袋体を並列させ、磁性部材１５によって相互に吸着させて固定する（図８に図示）。
【００１０】
（実施例２）
図９に示すように、本考案の收納袋の実施例２では、袋体１の対向する二つの第二壁面１０２にはそれぞれ円孔１６が設けられ、ベルト２の代わりにロープ５を用いる。ロープ５の一端は、二つの円孔１６に順番に貫通された後、係止部材４に貫設され、その後、ロープ５が往復するように、順番に二つの円孔１６に貫設され、袋体１の外側に取り出された二つのロープには紐締め部材３が設けられる。なお、係止部材４の好ましい実施例は、二つの円孔４１を具える板体である。また、ロープ５は、係止部材４の二つの円孔に貫通された後、係止部材４によって袋体の壁面の外側に係止される。紐締め部材３は従来の部材と同様であるため、図中には詳細な構造を図示していないが、紐締め部材３は、本体内に制動部材と弾性部材を設けてなり、ボタンを押すと、紐締め部材３のロープ５に対する係合が解除され、紐締め部材３をロープ５に対して移動させることができる。また、ボタンを開放すると、紐締め部材３は、その内部に設けられたバネの弾力により、自動的にロープが固定される。以上の構造により、袋体１の開口部の大きさを調整することができる。
【符号の説明】
【００１１】
１        袋体
１０１    第一壁面
１０２    第二壁面
１１      穿孔
１２      連結部材
１３      第一リング
１４      折り線
１５      磁性部材
１６      円孔
２        ベルト
２１      留め具
２２      第二リング
３        紐締め部材
４        係止部材
４１      円孔
５        ロープ
【図１】
0003161290.tif 000003
【図２】
0003161290.tif 000004
【図３】
0003161290.tif 000005
【図４】
0003161290.tif 000006
【図５】
0003161290.tif 000007
【図６】
0003161290.tif 000008
【図７】
0003161290.tif 000009
【図８】
0003161290.tif 000010
【図９】
0003161290.tif 000011
【手続補正書】
【提出日】平成22年5月18日(2010.5.18)
【手続補正１】
【補正対象書類名】実用新案登録請求の範囲
【補正対象項目名】請求項２
【補正方法】変更
【補正の内容】
【請求項２】
前記袋体の少なくとも対向する二つの第一壁面には、相互に吸着する磁性部材が設けられることを特徴とする、請求項１に記載の複合機能を具えた収納袋。